(57)【要約】  【課題】適切な耕耘整地作業ができる農作業機を提供する。  【解決手段】農作業機１は、ロータリ耕耘体８の上方部を覆う上方部カバー体16とを備える。上方部カバー体16の後端部には、連結体22を上下回動可能に設ける。連結体22の後端部には、ロータリ耕耘体８の後方位置で整地作業をする整地体23を上下回動可能に設ける。農作業機１は、ロータリ耕耘体８より深い位置で心土破砕作業をする脱着可能なサブソイラ体26を備える。農作業機１は、サブソイラ耕作業状態、深耕作業状態および通常耕作業状態に選択的に切換可能である。  【選択図】図１
2005287439.tif 000002
【特許請求の範囲】
【請求項１】
回転しながら耕耘作業をするロータリ耕耘体と、
上下回動可能に設けられた連結体と、
この連結体に上下回動可能に設けられ、前記ロータリ耕耘体の後方位置で整地作業をする整地体とを備え、
前記連結体がロックされた状態で前記ロータリ耕耘体が耕耘作業をし前記整地体が深耕対応位置で整地作業をする深耕作業状態と、前記連結体のロックが解除された状態で前記ロータリ耕耘体が耕耘作業をし前記整地体が通常耕対応位置で整地作業をする通常耕作業状態とに選択的に切換可能となっている
ことを特徴とする農作業機。
【請求項２】
回転しながら耕耘作業をするロータリ耕耘体と、
上下回動可能に設けられた連結体と、
この連結体に上下回動可能に設けられ、前記ロータリ耕耘体の後方位置で整地作業をする整地体と、
前記ロータリ耕耘体より深い位置で心土破砕作業をする脱着可能なサブソイラ体とを備え、
前記連結体がロックされかつ前記サブソイラ体が取り付けられた状態で前記ロータリ耕耘体が耕耘作業をし前記サブソイラ体が心土破砕作業をし前記整地体が深耕対応位置で整地作業をするサブソイラ耕作業状態と、前記連結体がロックされかつ前記サブソイラ体が取り外された状態で前記ロータリ耕耘体が耕耘作業をし前記整地体が深耕対応位置で整地作業をする深耕作業状態と、前記連結体のロックが解除されかつ前記サブソイラ体が取り外された状態で前記ロータリ耕耘体が耕耘作業をし前記整地体が通常耕対応位置で整地作業をする通常耕作業状態とに選択的に切換可能となっている
ことを特徴とする農作業機。
【請求項３】
ロータリ耕耘体および連結体間に位置する弾性板を備え、この弾性板にはサブソイラ通し用切れ目部が形成されている
ことを特徴とする請求項２記載の農作業機。
【請求項４】
ロータリ耕耘体および連結体間に位置する弾性板を備え、この弾性板には少なくとも２本のサブソイラ通し用切れ目部が形成され、
サブソイラ耕作業時には、前記弾性板のうちの前記両サブソイラ通し用切れ目部間の部分がサブソイラ体に押されて弾性変形し、この弾性変形によりできた開口部に前記サブソイラ体が挿通されている
ことを特徴とする請求項２記載の農作業機。
【発明の詳細な説明】
【技術分野】
【０００１】
本発明は、適切な耕耘整地作業ができる農作業機に関するものである。
【背景技術】
【０００２】
従来、例えば回転しながら耕耘作業をするロータリ耕耘体と、ロータリ耕耘体の上方部を覆うカバー体と、カバー体の後端部に上下回動可能に設けられた整地体と、ロータリ耕耘体および連結体間に位置するスクリーンとを備えた耕耘砕土機等の農作業機が知られている（例えば、特許文献１参照）。
【特許文献１】実開平１−１６７８０４号公報
【発明の開示】
【発明が解決しようとする課題】
【０００３】
しかしながら、上記従来の農作業機では、整地体を深耕対応位置に設定できないため、通常より深く耕耘する深耕作業に対応することができず、適切な耕耘整地作業ができないおそれがある。
【０００４】
本発明は、このような点に鑑みなされたもので、適切な耕耘整地作業ができる農作業機を提供することを目的とする。
【課題を解決するための手段】
【０００５】
請求項１記載の農作業機は、回転しながら耕耘作業をするロータリ耕耘体と、上下回動可能に設けられた連結体と、この連結体に上下回動可能に設けられ、前記ロータリ耕耘体の後方位置で整地作業をする整地体とを備え、前記連結体がロックされた状態で前記ロータリ耕耘体が耕耘作業をし前記整地体が深耕対応位置で整地作業をする深耕作業状態と、前記連結体のロックが解除された状態で前記ロータリ耕耘体が耕耘作業をし前記整地体が通常耕対応位置で整地作業をする通常耕作業状態とに選択的に切換可能となっているものである。
【０００６】
そして、深耕作業状態および通常耕作業状態に選択的に切り換えることができるため、適切な耕耘整地作業が可能である。
【０００７】
請求項２記載の農作業機は、回転しながら耕耘作業をするロータリ耕耘体と、上下回動可能に設けられた連結体と、この連結体に上下回動可能に設けられ、前記ロータリ耕耘体の後方位置で整地作業をする整地体と、前記ロータリ耕耘体より深い位置で心土破砕作業をする脱着可能なサブソイラ体とを備え、前記連結体がロックされかつ前記サブソイラ体が取り付けられた状態で前記ロータリ耕耘体が耕耘作業をし前記サブソイラ体が心土破砕作業をし前記整地体が深耕対応位置で整地作業をするサブソイラ耕作業状態と、前記連結体がロックされかつ前記サブソイラ体が取り外された状態で前記ロータリ耕耘体が耕耘作業をし前記整地体が深耕対応位置で整地作業をする深耕作業状態と、前記連結体のロックが解除されかつ前記サブソイラ体が取り外された状態で前記ロータリ耕耘体が耕耘作業をし前記整地体が通常耕対応位置で整地作業をする通常耕作業状態とに選択的に切換可能となっているものである。
【０００８】
そして、サブソイラ耕作業状態、深耕作業状態および通常耕作業状態に選択的に切り換えることができるため、より一層適切な耕耘整地作業が可能である。
【０００９】
請求項３記載の農作業機は、請求項２記載の農作業機において、ロータリ耕耘体および連結体間に位置する弾性板を備え、この弾性板にはサブソイラ通し用切れ目部が形成されているものである。
【００１０】
そして、弾性板に形成されたサブソイラ通し用切れ目部を利用してサブソイラ体を容易に取り付けることが可能である。
【００１１】
請求項４記載の農作業機は、請求項２記載の農作業機において、ロータリ耕耘体および連結体間に位置する弾性板を備え、この弾性板には少なくとも２本のサブソイラ通し用切れ目部が形成され、サブソイラ耕作業時には、前記弾性板のうちの前記両サブソイラ通し用切れ目部間の部分がサブソイラ体に押されて弾性変形し、この弾性変形によりできた開口部に前記サブソイラ体が挿通されているものである。
【００１２】
そして、弾性板のうちの両サブソイラ通し用切れ目部間の部分の弾性変形によりできた開口部にサブソイラ体を挿通させることでサブソイラ体をより一層容易に取り付けることが可能である。
【発明の効果】
【００１３】
請求項１に係る発明によれば、深耕作業状態および通常耕作業状態に選択的に切り換えることができるため、適切な耕耘整地作業ができる。
【００１４】
請求項２に係る発明によれば、サブソイラ耕作業状態、深耕作業状態および通常耕作業状態に選択的に切り換えることができるため、より一層適切な耕耘整地作業ができる。
【００１５】
請求項３に係る発明によれば、弾性板に形成されたサブソイラ通し用切れ目部を利用してサブソイラ体を容易に取り付けることができる。
【００１６】
請求項４に係る発明によれば、弾性板のうちの両サブソイラ通し用切れ目部間の部分の弾性変形によりできた開口部にサブソイラ体を挿通させることでサブソイラ体をより一層容易に取り付けることができる。
【発明を実施するための最良の形態】
【００１７】
本発明の農作業機の一実施の形態を図面を参照して説明する。
【００１８】
図１ないし図４において、１は農作業機で、この農作業機１は、走行車であるトラクタ（図示せず）に連結された状態で、トラクタの走行により水田等の圃場を前方に移動しながら耕耘整地作業をする耕耘整地装置である。
【００１９】
そして、農作業機１は、作業機本体２を備えている。作業機本体２は３点連結部４を有し、３点連結部４がトラクタの後部の３点リンク部に連結されている。また、作業機本体２は、左右方向中央に入力軸保持部（ギアボックス）５を有し、入力軸保持部５にはトラクタ側からの動力を入力する入力軸６が回転可能に設けられている。入力軸６はトラクタのＰＴＯ軸に伝動シャフト等を介して連結されている。
【００２０】
そして、作業機本体２には、入力軸６側からの動力に基づいて所定方向に回転しながら耕耘作業をするロータリ耕耘体８が回転可能に設けられている。ロータリ耕耘体８は、作業機本体２の左右両端のチェーンケース部９およびブラケット部10間にわたって配設された左右方向の回転軸11を有し、回転軸11の外周部には複数の耕耘爪12が放射状に設けられている。
【００２１】
また、作業機本体２には、ロータリ耕耘体８の上方部を覆う略板状のカバー体である上方部カバー体16およびロータリ耕耘体８の側方部を覆う左右一対の略板状の側方部カバー体（側板）17が設けられている。側方部カバー体17の略中央部には、被固定部であるナット部18が固着されている（図３参照）。
【００２２】
そして、上方部カバー体16の後端部には、上下方向に貫通した複数、例えば３つの貫通孔部21が形成された連結体22がその前端側の左右方向の回動中心軸線（回動支点）Ａを中心として上下回動可能に設けられている。なお、連結体22の側面部には図示しないが雌ねじ部が形成されている。また、連結体22は、貫通孔部21が形成された本体部22aと、この本体部22aの前端部に固着された複数の連結部22bとを有している。
【００２３】
また、連結体22の後端部には、ロータリ耕耘体８の後方位置で整地作業をする略板状の整地体23がその前端側の左右方向の回動中心軸線（回動支点）Ｂを中心として上下回動可能に設けられている。整地体23は、略板状の本体板部23aと、この本体板部23aの前端部に固着された複数の連結部23bとを有している。
【００２４】
また、作業機本体２は、図４に示されるように、複数、例えば３つのサブソイラ保持部25を左右方向中央および左右方向両端側に有し、各サブソイラ保持部25にはロータリ耕耘体８より深い位置で心土破砕作業をする上下方向長手状の脱着可能なサブソイラ体26が上下位置調節可能に設けられている。３本のサブソイラ体26の各々は、上下方向に長手状の略板状のナイフ部27を有し、ナイフ部27の下端部前側には刃部28が形成されている。
【００２５】
なお、サブソイラ保持部25は、ボルトおよびナット等からなる取付具35にて作業機本体２の左右方向長手状の枠部36に左右位置調節可能に取り付けられており、サブソイラ体26は、作業機本体２に対して上下位置調節可能でかつ左右位置調節可能となっている。
【００２６】
また一方、農作業機１は、ロータリ耕耘体８および連結体22間に位置しロータリ耕耘体８の後側上方部を覆う弾性変形可能なゴム板等の弾性板31を備え、弾性板31の前端部が上方部カバー体16の後端部に固着され、弾性板31の後端部が自由端部となっている。
【００２７】
また、この左右方向に長手状の弾性板31の例えば６箇所の位置には、図５に示されるように、少なくとも２本、例えば３対で計６本の略前後方向のサブソイラ通し用切れ目部32が弾性板31の前端近傍から後端にわたって形成されている。
【００２８】
そして、サブソイラ耕作業時には、図７に示すように、弾性板31のうちの対をなす両サブソイラ通し用切れ目部32間の部分（折曲部）33が、連結体22の貫通孔部21に差し込まれたサブソイラ体26に押されてロータリ耕耘体８側でかつ下方側に向って略円弧状に折れ曲がるように弾性変形し、この弾性変形によりできた開口部34に対応するサブソイラ体26が挿通されている。
【００２９】
なお、作業機本体２および整地体23間にわたって左右一対の接地圧調節手段41が配設され、接地圧調節手段41にて整地体23の接地圧が調節可能となっている。
【００３０】
また、連結体22の雌ねじ部、側方部カバー体17のナット部18およびボルト20にて、連結体22を側方部カバー体17に対して解除可能にロックする連結体ロック手段42が構成されている。
【００３１】
さらに、図４から明らかなように、仕上げ面が良好となるように整地体23の左右方向長さ寸法と作業機本体２の左右方向長さ寸法とが略等しく、整地体23の左右方向端部がチェーンケース部９の外側面およびブラケット部10の外側面の後方に位置する。なお、整地体23の左右方向長さ寸法は連結体22の左右方向長さ寸法より長く、整地体23の左右方向端部は連結体22の左右方向端部より外側方に位置する。
【００３２】
次に、上記農作業機１を使用して耕耘整地作業をする場合を説明する。
【００３３】
サブソイラ体26を用いるサブソイラ耕作業をする場合、図１に示すように、例えば整地体23を所望量持ち上げて互いに一致させた連結体22の雌ねじ部および側方部カバー体17のナット部18に対して固定具であるボルト20をねじ込むことにより、連結体22を側方部カバー体17に対して略水平姿勢にロック（固定）する。また、サブソイラ体26を作業機本体２のサブソイラ保持部25に取り付ける。この際、サブソイラ体26と弾性板31のうちの両サブソイラ通し用切れ目部32間の部分33とを接触させてこのサブソイラ通し用切れ目部32間の部分33を弾性変形させることにより、サブソイラ体26を弾性板31に対して貫通させる。
【００３４】
そして、このように連結体22が側方部カバー体17に対して略水平姿勢にロックされかつサブソイラ体26が作業機本体２のサブソイラ保持部25に取り付けられたサブソイラ耕作業状態で、農作業機１全体をトラクタの前進走行により前方に移動させると、サブソイラ耕作業が行われる。
【００３５】
すなわち、ロータリ耕耘体８が所定方向に駆動回転しながら耕耘作業をし、サブソイラ体26がロータリ耕耘体８より深い位置で心土破砕作業をし、整地体23が圃場面部に応じて回動中心軸線Ｂを中心として上下回動しながら深耕対応位置で整地作業をする。なお、整地体23の深耕対応位置は、整地体23の後端部である下端部がロータリ耕耘体８の上下方向略中央部つまり回転軸11の略後方に配置されるような位置である。
【００３６】
また、サブソイラ体26を用いずに深耕作業をする場合、例えばサブソイラ体26を作業機本体２のサブソイラ保持部25から取り外すことにより、図１に示すサブソイラ耕作業状態から図２に示す深耕作業状態に切り換える。
【００３７】
なお、サブソイラ体26をサブソイラ保持部25から取り外すと、隣合う両サブソイラ通し用切れ目部32間の部分33が弾性に基づく復元力によりもとの状態に復帰し、開口部34がその部分33にて閉鎖される。
【００３８】
そして、このような連結体22が側方部カバー体17に対して略水平姿勢にロックされかつサブソイラ体26がサブソイラ保持部25から取り外された深耕作業状態で、農作業機１全体をトラクタの前進走行により前方に移動させると、深耕作業が行われる。
【００３９】
すなわち、ロータリ耕耘体８が所定方向に駆動回転しながら耕耘作業をし、整地体23が圃場面部に応じて回動中心軸線Ｂを中心として上下回動しながら深耕対応位置で整地作業をする。なお、整地体23の深耕対応位置は、整地体23の後端部である下端部がロータリ耕耘体８の上下方向略中央部つまり回転軸11の略後方に配置されるような位置である。
【００４０】
さらに、通常の深さで耕耘する通常耕作業をする場合、例えば図２に示す深耕作業状態から図３に示す通常耕作業状態に切り換える。すなわち、互いに一致させた連結体22の雌ねじ部および側方部カバー体17のナット部18からボルト20を外すことにより連結体22の側方部カバー体17に対するロックを解除し、連結体22を回動中心軸線Ａを中心として上下回動可能なフリー状態つまり後方に向って下り傾斜状の略傾斜姿勢にする。
【００４１】
そして、このような連結体22のロックが解除されて連結体22が略傾斜姿勢に設定されかつサブソイラ体26がサブソイラ保持部25から取り外された通常耕作業状態で、農作業機１全体をトラクタの前進走行により前方に移動させると、通常耕作業が行われる。
【００４２】
すなわち、ロータリ耕耘体８が所定方向に駆動回転しながら耕耘作業をし、整地体23が圃場面部に応じて回動中心軸線Ｂを中心として上下回動しながら通常耕対応位置で整地作業をし、かつ連結体22が回動中心軸線Ａを中心として適宜上下回動する。なお、整地体23の通常耕対応位置は、ロータリ耕耘体８を基準として深耕対応位置より低い位置であって、整地体23の後端部である下端部がロータリ耕耘体８の下端部の略後方に配置されるような位置である。
【００４３】
そして、上記農作業機１によれば、圃場の状態等に応じてサブソイラ耕作業状態、深耕作業状態および通常耕作業状態の３状態に選択的に切り換えることができるため、例えば深耕の際の土の持ち回りの減少等により整地性能を向上でき、効率的でかつ適切な耕耘整地作業ができる。
【００４４】
また、弾性板31のうちの両サブソイラ通し用切れ目部32間の部分の弾性変形によりできた開口部34にサブソイラ体26を挿通させることでサブソイラ体26をきわめて簡単に取り付けることができる。
【００４５】
なお、農作業機１は、図８に示すように、連結体22を側方部カバー体17に対して解除可能にロックするボルト20等からなる連結体ロック手段42に加えて、整地体23を連結体22に対して解除可能にロックするロックピン45、Ｒピン46およびカラー47等からなる整地体ロック手段48を備えたものでもよい。この場合、通常耕作業時或いは洗浄時等に整地体ロック手段48を用いて整地体23を連結体22に対してロックする。
【００４６】
また、農作業機１は、サブソイラ耕作業状態、深耕作業状態および通常耕作業状態の３状態に選択的に切換可能な構成には限定されず、例えば深耕作業状態および通常耕作業状態の２状態に選択的に切換可能な構成としてもよい。
【図面の簡単な説明】
【００４７】
【図１】本発明の一実施の形態に係る農作業機のサブソイラ耕作業状態の側面図である。
【図２】同上農作業機の深耕作業状態の側面図である。
【図３】同上農作業機の通常耕作業状態の側面図である。
【図４】同上農作業機の平面図である。
【図５】同上農作業機の連結体の平面図である。
【図６】同上農作業機の整地体の平面図である。
【図７】同上農作業機の弾性板の斜視図である。
【図８】本発明の他の実施の形態に係る農作業機の部分側面図である。
【符号の説明】
【００４８】
１    農作業機
８    ロータリ耕耘体
22    連結体
23    整地体
26    サブソイラ体
31    弾性板
32    サブソイラ通し用切れ目部
34    開口部
【図１】
2005287439.tif 000003
【図２】
2005287439.tif 000004
【図３】
2005287439.tif 000005
【図４】
2005287439.tif 000006
【図５】
2005287439.tif 000007
【図６】
2005287439.tif 000008
【図７】
2005287439.tif 000009
【図８】
2005287439.tif 000010